(57)【特許請求の範囲】
【請求項１】
文字・画像の一方あるいは双方からなるデジタル面、テレビジョン映像及びオン・スクリーン・ディスプレイ手法による表示ができる表示部を備えたオーディオ・ビジュアル機器における前記表示部の表示制御を行う表示制御回路において、
デジタル面データを形成する処理装置によって書込・読出しができるバッファと、
前記バッファに書き込まれたデジタル面データを表示画面データにしてビデオメモリに書き込むとともに、前記ビデオメモリに書き込まれた表示画面データを読み出して表示メモリに書き込むビデオメモリ制御手段とを少なくとも備え、
前記ビデオメモリ制御手段は、前記処理装置からの指令に基づき、
（イ）前記ビデオメモリに書き込まれている表示画面データを読み出して、デジタル面データにして前記バッファに転送し、または表示画面データを縮小してデジタル面データにして前記バッファに転送し、
（ロ）前記バッファに書き込まれたデジタル面データを読み出して、表示画面データにして前記ビデオメモリに転送し、またはデジタル面データを拡大して表示画面データにして前記ビデオメモリに転送する、
とともに、前記ビデオメモリから前記表示メモリへの表示画面データの転送時に、前記（イ）及び前記（ロ）に係る前記ビデオメモリへの表示画面データの書き込み、または前記ビデオメモリからの表示画面データの読み出しを行わない、
ことを特徴とするオーディオ・ビジュアル機器の表示制御回路。
【請求項２】
請求項１に記載のオーディオ・ビジュアル機器の表示制御回路において、
前記バッファは、表示部における少なくとも１行分の記憶容量を備えていることを特徴とするオーディオ・ビジュアル機器の表示制御回路。
【請求項３】
請求項１または２に記載の表示制御回路を備えたことを特徴とするオーディオ・ビジュアル機器。
【発明の詳細な説明】
【０００１】
【発明の属する技術分野】
本発明は、オーディオ・ビジュアル機器の表示制御回路に係り、特に、文字・画像の一方あるいは双方からなるデジタル面、テレビジョン映像及びオン・スクリーン・ディスプレイ手法による表示ができる表示部を備えたオーディオ・ビジュアル機器における表示部の表示制御を行なう表示制御回路およびオーディオ・ビジュアル機器に関する。
【０００２】
【従来の技術】
従来、例えばテレビジョン（テレビ）受信機能とＦＭラジオ受信機能とを併せ持ったオーディオ・ビジュアル（ＡＶ）機器は、所定の大きさの筐体に、スピーカ、表示部、電源スイッチ、チャネル・選局や音量調整のための操作部、及び外部の機器と接続するためのジャック端子等が配置されているものが一般的である。
【０００３】
このようなＡＶ機器において、前記操作部からの操作指令は中央演算処理装置（ＣＰＵ）に一旦取り込まれ、当該操作指令に基づく前記ＣＰＵからの指令により、テレビ受信機能あるいはＦＭラジオ機能の選択、チャネル・選局、あるいは、音量等調整の処理を行っている。
【０００４】
このように操作部から前記ＣＰＵに入力があったときに、前記ＣＰＵは、前記入力された内容を表示部に表示している。この表示部への表示制御は、具体的には、表示制御回路によって行われている。
【０００５】
図９は、従来の表示制御回路を含む表示系統の一例を示すブロック図である。
この図９において、従来のオーディオ・ビジュアル機器の表示系統１１０は、各種制御を実行する処理装置１１２と、表示画面データを格納しあるいは表示画面データ作成時の作業領域を提供するビデオメモリ１１４と、例えば所定の画素数のカラー液晶パネル（ＬＣＤ）からなる表示部１１６と、前記ビデオメモリ１１４から表示画面データを読み出して表示部１１６に与える表示制御回路１１８とから構成されている。
【０００６】
このような表示系統１１０においては、例えば図示しない操作部が操作されると、処理装置１１２は表示画面データを形成して当該表示画面データをビデオメモリ１１４に書き込む。表示制御回路１１８は、ビデオメモリ１１４に書き込まれた表示画面データを読み出し、表示部１１６に与えて表示をする。
【０００７】
この従来の表示系統１１０では、処理装置１１２は、通常のデータを処理するほかに、表示画面データも形成する必要があった。
なお、上述した表示系統１１０のほかに、ビデオメモリを持たずキャラクタコードから直接表示画面データを作成して表示させる表示方法もあるが、文字のみに限定されているため、特殊な用途にしか利用されていない。
【０００８】
【発明が解決しようとする課題】
上述した従来の表示系統１１０や表示方法では、表示画面データは、全て処理装置１１２で作成する必要があり、処理装置１１２に負担がかかり、高速に表示ができないという欠点があった。
【０００９】
本発明は、前記従来技術の欠点を解消するためになされたものであって、制御部の負担を軽くし、かつ少ない部品で、高速に描画できるオーディオ・ビジュアル機器の表示制御回路を提供することを目的としている。
【００１０】
【課題を解決するための手段】
上記目的を達成するために本発明に係るオーディオ・ビジュアル機器の表示制御回路は、 文字・画像の一方あるいは双方からなるデジタル面、テレビジョン映像及びオン・スクリーン・ディスプレイ手法による表示ができる表示部を備えたオーディオ・ビジュアル機器における前記表示部の表示制御を行う表示制御回路において、デジタル面データを形成する処理装置によって書込・読出しができるバッファと、前記バッファに書き込まれたデジタル面データを表示画面データにしてビデオメモリに書き込むとともに、前記ビデオメモリに書き込まれた表示画面データを読み出して表示メモリに書き込むビデオメモリ制御手段とを少なくとも備え、前記ビデオメモリ制御手段は、前記処理装置からの指令に基づき、（イ）前記ビデオメモリに書き込まれている表示画面データを読み出して、デジタル面データにして前記バッファに転送し、または表示画面データを縮小してデジタル面データにして前記バッファに転送し、（ロ）前記バッファに書き込まれたデジタル面データを読み出して、表示画面データにして前記ビデオメモリに転送し、またはデジタル面データを拡大して表示画面データにして前記ビデオメモリに転送する、とともに、前記ビデオメモリから前記表示メモリへの表示画面データの転送時に、前記（イ）及び前記（ロ）に係る前記ビデオメモリへの表示画面データの書き込み、または前記ビデオメモリからの表示画面データの読み出しを行わない、ことを特徴としている。
【００１１】
このように形成した本発明においては、前記処理装置は、ビデオメモリが表示側によりアクセスされているか否かに関係なく、バッファにデジタル面データのままで書き込みをすることができる。また、ビデオメモリからの表示画面データは、ビデオメモリ制御手段によりデジタル面データにしてバッファに書き込まれているので、前記処理装置は、バッファからただ単にデジタル面データを読み出すことができ、ビデオメモリの表示画面データについて方式を変更することなく読み出し、データの変更をすることができる。
【００１２】
バッファは、表示部における少なくとも１行分の記憶容量を備えている。少なくとも１行分の記憶容量があれば、前記処理装置がバッファに対しての書き込み、読み出しに十分であり、かつ、簡単な回路構成でできる。
ビデオメモリ制御手段は、バッファに書き込まれたデジタル面データを拡大して表示画面データにしビデオメモリに転送し書き込むことができ、かつ、ビデオメモリに書き込まれている表示画面データを縮小してデジタル面データにしバッファに転送し書き込むことができる。これにより、特殊の表現ができる。また、前記処理装置は、単に拡大、縮小を指定するのみでよいため、特別な処理を行なう必要がなく、処理速度を高速化できる。
【００１３】
ビデオメモリ制御手段は、文字面を表示するときに、ビデオメモリから表示画面データを読み出し拡大して表示部に与えることができる。これにより、拡大表示が可能となる。
そして、本発明に係るオーディオ・ビジュアル機器は、前記表示制御回路を備えていることを特徴としている。
【００１４】
【発明の実施の形態】
本発明に係るオーディオ・ビジュアル機器の表示制御回路およびオーディオ・ビジュアル機器の好ましい実施の形態を、添付図面に従って詳細に説明する。
図２は本発明の実施形態に係るオーディオ・ビジュアル機器（ＡＶ機器）１０の斜視図である。このＡＶ機器１０の本体１２は図３の回路を内蔵しており搭載した電池によって駆動可能な携帯用であって、テレビ受信機能、ＦＭ放送受信機能、蓄積した音楽データの再生機能、さらにはデジタルカメラ等で撮影した画像データを再生する画像再生機能を有している。
【００１５】
本体１２の正面側の右側部には、メインスイッチ２０、メニュースイッチ２４及びジョグスイッチからなる選択スイッチ２２がそれぞれ取り付けられており、このメインスイッチ２０をオンにすると、機器制御部（ＣＰＵ）４４は表示制御部５２を介してビデオメモリ（ＶＲＡＭ）５４にメニュー画面を作成し、液晶コントローラ３６を介して表示部１４に送り出されて、メニュー画面が表示される。メニュー（動作モード）として、例えば、テレビ受信モード（ＴＶモード）、ＦＭラジオ受信モード（ＦＭモード）、蓄積した音楽データ（音響データ）を再生するオーディオモード、デジタルカメラ等により撮影した画像データなどを表示させる画像モード等があり、選択スイッチ２２を上または下に動かすことによりモードが選択される。また、選択されたモードからメニュー画面に移行する場合はメニュースイッチ２４を押すことにより移行する。
【００１６】
なお、本体１２の上部端面には図示しない音量ボタンが取り付けられている。また、本体１２には音響出力部となるイヤホンジャックが設けてあり、このイヤホンジャックを介してヘッドホンやイヤホンによって音楽データ（音響データ）が出力されるようになっている。さらに、本体１２の左側部には、外部記憶装置となるメモリカードを装着する挿入口が設けられており、蓄積した音楽データや、デジタルカメラ等により撮影された画像データ等を記録したメモリカードを装着することにより、メモリカードＩ／Ｆ４６を介して音楽の再生や画像の再生が出来るようになっている。
【００１７】
そして、その面にはカバー１６が開閉自在に取り付けられており、このカバー１６を開くと、カラー液晶パネル（ＬＣＤ）等で構成された表示部１４が現れる。
また、蓋１６の基部には、蓋１６の開閉に連動してパルス状の信号を出力する表示スイッチ１８が設けてあり、蓋１６が開いた状態にある時は表示部１４がオンされて画像情報が表示され、蓋１６を閉じて表示部を遮蔽すると表示部１４がオフされて画像情報が消えるようになっており、消費電力の節約が図られるようになっている。
【００１８】
図３は本発明のＡＶ機器１０の構成を示したブロック図である。このＡＶ機器１０は、アンテナ２６、ＴＶチューナ２８、ＩＦ・クロマ処理部３２、音声検波部３８、表示切替部３４、液晶コントローラ３６、表示部１４、ＦＭチューナ３０、音声増幅部４０、音声発生部４２、機器制御部（ＣＰＵ）４４、メモリカードＩ／Ｆ４６、音声・画像再生部５０、表示制御部５２、ビデオメモリ（ＶＲＡＭ）５４を備えている。
【００１９】
アンテナ２６により受信された電波は、ＴＶチューナ２８によりチューニングされ、ＩＦ・クロマ処理部３２によりテレビの画像信号（映像信号）が復調され、また、音声信号は音声検波部３８により検波される。ＩＦ・クロマ処理部３２により復調された画像信号（映像信号）は、表示切替部３４を介して液晶コントローラ３６に送り出されて表示部１４にテレビ画像が表示される。
【００２０】
また、音声検波部３８により検波された音声信号、ＦＭチューナ３０によりチューニングされた音声信号、および音声・画像再生部５０により再生された音声信号は、音声増幅部４０に入力されて増幅され、音声発生部４２により音声が得られる。なお、音声増幅部４０は、機器制御部（ＣＰＵ）４４からの制御信号により、入力された音声信号の何れか１つを選択してその音声信号を増幅する。例えば、動作モードがＴＶモードに設定されている場合には音声検波部３８により検波された音声信号が選択され、動作モードがＦＭモードに設定されている場合にはＦＭチューナ３０によりチューニングされた音声信号が選択され、動作モードがオーディオモードまたは画像モードに設定されている場合には音声・画像再生部５０により再生された音声信号が選択される。
【００２１】
次に、動作モードとしてＴＶモードが設定された場合の動作について説明する。アンテナ２６により受信された電波は、ＴＶチューナ２８で所定のチャネルにチューニングされる。ＩＦ・クロマ処理部３２はそのチューニングされた信号から画像信号（映像信号）を得て、その画像信号（映像信号）の輝度信号及び色信号を３原色（Ｒ、Ｇ、Ｂ）の画像信号に復調して、表示切替部３４に送出する。動作モードがＴＶモードに設定されているときには、表示切替部３４はＩＦ・クロマ処理部３２からの画像信号を液晶コントローラ３６に出力する。液晶コントローラ３６はその画像信号に基づいて表示部１４にテレビ画像を表示させる。また、音声検波部３８は、ＴＶチューナ２８で所定のチャネルにチューニングされた信号から音声信号を検波して音声増幅部４０に出力する。音声増幅部４０はその音声信号を増幅して音声発生部４２に出力し、音声発生部４２から上記の表示部１４のテレビ画像に対応した音声が出力される。
【００２２】
また、動作モードがＦＭモードに設定された場合については、アンテナ２６により受信された電波は、ＦＭチューナ３０で所定の周波数にチューニングされ、その音声信号は音声増幅部４０に出力される。音声増幅部４０はその音声信号を増幅して音声発生部４２に出力し、音声発生部４２から上記にてチューニングされた局の放送の音声が出力される。
【００２３】
また、動作モードが例えば画像モードに設定されている場合については、デジタルカメラ等で撮影した画像をメモリカードに格納しておいて、メモリカードをメモリカード挿入口に挿入して装着する。機器制御部（ＣＰＵ）４４はメモリカードＩ／Ｆ４６を介してメモリカードに格納されている音声データ（メモリカードに音声データも格納されている場合）および画像データを取り込んで、音声・画像再生部５０に出力する。音声・画像再生部５０は音声データおよび画像データをそれぞれ再生し、音声信号を音声増幅部４０に出力し、画像データを表示制御部５２に出力する。音声増幅部４０は入力された音声信号を増幅して音声発生部４２に出力し、音声発生部４２からメモリカードに格納されている音声が出力される。また、表示制御部５２は画像データをビデオメモリ５４に格納して表示画像を展開した後に表示切替部３４に出力する。動作モードが画像モードに設定されている場合には、表示切替部３４は表示制御部５２からの画像信号を液晶コントローラ３６に出力する。液晶コントローラ３６はその画像信号に基づいて表示部１４にデジタルカメラの画像を表示させる。
【００２４】
図１は表示系統９０の構成を示したブロック図であり、この表示系統９０は、各種制御を実行する処理装置としての機器制御部４４と、表示画面データを格納しあるいは表示画面データ作成時の作業領域を提供するビデオメモリ（ＶＲＡＭ）５４と表示画面データを画像にするカラー液晶パネル（ＬＣＤ）からなる表示部１４と、前記機器制御部４４による書き込み・読み出しが可能とされかつ前記ビデオメモリ５４から表示画面データを読み出して表示部１４に与える表示制御部５２と、メモリカードに記録されたデータを再生する音声・画像再生部５０とから構成されている。
【００２５】
機器制御部４４は、ＣＰＵ（中央演算処理装置）で構成されており、図示しない主メモリに格納されたプログラムを処理することにより、ＡＶ機器１０の操作部からの操作指令に基づいてＡＶ機器１０の各種機能、制御を実行する。
前記ビデオメモリ５４は、所定の記憶容量を有するランダムアクセスメモリであり、表示部１４の１フレーム分の表示画面データを格納することができる。また、表示部１４は、所定の画面寸法で所定の画素数をもったカラー液晶パネル（ＬＣＤ）から構成され、表示制御回路である表示制御部５２は、バッファ９２と、ビデオメモリ制御手段（ＶＲＡＭ制御）９４と、表示メモリ９６と、オン・スクリーン・ディスプレイ（ＯＳＤ）回路９８と、ＯＳＤメモリ９９とにより構成されている。そして、文字・画像の一方あるいは双方からなるデジタル面と、テレビジョン映像およびオン・スクリーン・ディスプレイ手法による表示とを表示部１４に表示される。
【００２６】
表示制御部５２に設けたバッファ９２は、機器制御部４４により書き込みあるいは読み込みができるようになっており、ビデオメモリ制御手段９４により書き込みあるいは読み込みができるようになっている。そして、バッファ９２の容量は、この実施の形態では、表示部１４に表示される文字１行分のメモリからなっており、例えば１行は横１６ドット×縦１６ドット×１７．５文字で構成され、カラー表示用に１ドット当たりのデータ量は２ビットであるので、合計１１２０バイトの容量としている。バッファ９２の容量が文字１行分からなっていることにより、機器制御部４４は文字データを扱う際にそのフォントデータ（ビットマップ）を一時期にバッファ９２に対して書き込むことが可能となり、機器制御部４４の文字データの扱いがしやすくなる。
【００２７】
前記ビデオメモリ制御手段９４は、バッファ９２に書き込まれたデジタル面データを表示画面データに変換しビデオメモリ５４に書き込むことができるようになっている。このビデオメモリ制御手段９４は、ビデオメモリ５４に書き込まれた表示画面データを１ライン分ずつ順次読み出し、表示メモリ９６に書き込むことができるようになっている。また、このビデオメモリ制御手段９４は、ビデオメモリ５４に書き込まれた表示画面データを読み出し、表示画面データをデジタル面データにしバッファ９２に書き込むことができるようになっている。さらに、ビデオメモリ制御手段９４には、音声・画像再生部５０が出力する画像データを受け取り、表示画面データにしてビデオメモリ５４に格納することができる。
【００２８】
前記表示メモリ９６は、表示部１４の水平方向１ライン分のラインメモリから構成してある。また、オン・スクリーン・ディスプレイ回路９８は、機器制御部４４から制御信号を受けてＯＳＤメモリ９９に格納してある音量の表示データや画面の明るさの表示データを読み出し、前記表示メモリ９６からの表示画面データにこれらを重畳してオン・スクリーン・ディスプレイ手法を実現し、その表示画面データを表示切替部３４、液晶コントローラ３６を介して表示部１４に供給できるようになっている。
【００２９】
なお、ここでは、「デジタル面」において、文字と画像とが重ねあって表示可能となっている。また、「デジタル面」は、「通常文字面」と「スクロール文字」との組み合わせで表示されるものである。また、「通常文字面」と「スクロール文字」とは、ビデオメモリ５４上の別なエリアに格納されているが、表示の際に重ね合わせることが可能である。
【００３０】
次に、ＡＶ機器１０の表示制御部５２の動作を、図１を基に図４ないし図８を参照しながら説明する。
（文字書込動作）
図４は、本発明の実施形態に係るＡＶ機器１０の表示制御部５２及び機器制御部４４における文字書込動作を説明するためのフローチャートである。
【００３１】
図４において、機器制御部４４は、文字書込を処理する場合、作成した文字データを表示制御部５２のバッファ９２に書き込み処理を実行する（ステップ２００）。機器制御部４４は、１行分の書き込みを完了していないと判定したときには（ステップ２０２；ＮＯ）、再び書込処理を行う（ステップ２００）。これらのステップは、文字の書き込みが完了するまで（ステップ２０２；ＹＥＳ）、機器制御部４４において処理される。
【００３２】
機器制御部４４は、文字の書き込みが終了したと判断すると（ステップ２０２；ＹＥＳ）、ビデオメモリ５４の転送先アドレスを表示制御部５２のビデオメモリ制御手段９４に設定する（ステップ２０４）。ここで、転送先アドレスは、バッファ９２の０番地のデータが書き込まれているビデオメモリ５４上のアドレスで、画面上における表示位置と対応する。ついで、機器制御部４４は、「バッファｔｏビデオメモリへの転送開始」の指令を表示制御部５２のビデオメモリ制御手段９４に与える（ステップ２０６）。
【００３３】
ビデオメモリ制御手段９４は、機器制御部４４からビデオメモリ（ＶＲＡＭ）５４への転送指令を受け取ると、まずビデオメモリ５４が表示側でアクセスしていないか判定する（ステップ３００）。前記表示制御部５２のビデオメモリ制御手段９４は、ビデオメモリ５４が表示側でアクセスしていないと判定すると（ステップ３００；ＮＯ）、表示制御部５２のバッファ９２からデジタル画面データを読み出し、ビデオメモリ５４の指定されたアドレスに転送し書き込み処理を実行する（ステップ３０２）。なお、ステップ３００での判定においては、実際にビデオメモリ５４が表示側からアクセスされている期間だけでなく、ある時点からバッファ９２からビデオメモリ５４へ転送を始めると、転送中に表示側からのアクセスのタイミングにかかってしまうような所定の期間もＮＯと判断するように設定してある。
【００３４】
一方、ステップ３００での判定において、実際にビデオメモリ５４が表示側からアクセスされている期間のみをＮＯと判定し、バッファ９２からビデオメモリ５４への転送中に表示側からのアクセスのタイミングにかかってしまう場合には、表示側からのアクセス期間中はバッファ９２からビデオメモリ５４への転送を一時的に停止させるように表示制御部５２のビデオメモリ制御手段９４を構成および動作させることも可能である。
【００３５】
前記表示制御部５２のビデオメモリ制御手段９４は、転送が終了していないと判定したときには（ステップ３０４；ＮＯ）、再び転送処理を行う（ステップ３０２）。これらのステップ３０２、３０４は、バッファ９２に書き込まれたデータのビデオメモリ５４への書き込みが完了するまで（ステップ３０４；ＹＥＳ）、表示制御部５２のビデオメモリ制御手段９４において処理される。
【００３６】
ここで、表示制御部５２のビデオメモリ制御手段９４は、書き込みが終了したと判断すると（ステップ３０４；ＹＥＳ）、転送終了フラッグを立てる（ステップ３０６）。これにより、機器制御部４４は、１行の書き込みが終了したことを検知することができる（ステップ２０８）。
【００３７】
機器制御部４４は必要な回数だけステップ２００〜２０８を繰り返し処理し、同様に、表示制御部５２のビデオメモリ制御手段９４は必要な回数だけステップ３００〜３０６を繰り返し処理することにより、ビデオメモリ５４に画面全体の表示画面データが格納されることになる。
【００３８】
この実施の形態によれば、機器制御部４４は、ビデオメモリ５４の状態を確認することなく、書込動作を行なうことができ、機器制御部４４の負担が軽くなって、かつ、高速に描画処理ができる。
【００３９】
（リードモディファイドライト動作）
図５は、本発明の実施形態に係るＡＶ機器１０の表示制御部５２及び機器制御部４４におけるリードモディファイドライト動作を説明するためのフローチャートである。また、図６は、リードモディファイドライト動作により表示される画面の例を示す図であり、図６（１）は第１のメニュー画面、図６（２）は第２のメニュー画面である。
【００４０】
このリードモディファイドライト動作はビデオメモリ５４に書き込まれている内容を読み出して、条件を判断したり、内容を変更したりした後、再びビデオメモリ５４に書き込む動作であり、具体的には次のようにしている。
前記機器制御部４４は、表示制御部５２のビデオメモリ制御手段９４にビデオメモリ（ＶＲＡＭ）５４の転送先アドレスを設定する（ステップ２１０）。ここでの転送先アドレスは、バッファ９２の０番地に書き込むデータの置かれているビデオメモリ５４のアドレスのことである。ついで、機器制御部４４は、表示制御部５２のビデオメモリ制御手段９４に「ビデオメモリ５４から表示制御部５２のバッファ９２への転送開始」を指示する（ステップ２１２）。これにより、表示制御部５２のビデオメモリ制御手段９４が動作を開始する。
【００４１】
前記表示制御部５２のビデオメモリ制御手段９４は、表示側でビデオメモリ５４をアクセスしていないか判定する（ステップ３１０）。ビデオメモリ制御手段９４は、表示側でビデオメモリ５４をアクセスしていないと判定すると（ステップ３１０；ＹＥＳ）、ビデオメモリ５４の指定されたアドレスから表示画面データを読み出してデジタル面データにして表示制御部５２のバッファ９２に書き込む（ステップ３１２）。
【００４２】
前記表示制御部５２のビデオメモリ制御手段９４は、転送が終了していないと判定したときには（ステップ３１４；ＮＯ）、さらに転送処理を行う（ステップ３１２）。これらのステップ３１２、３１４は、書き込みが完了するまで（ステップ３１４；ＹＥＳ）、表示制御部５２のビデオメモリ制御手段９４において処理される。
【００４３】
ここで、表示制御部５２のビデオメモリ制御手段９４は、転送が終了したと判断すると（ステップ３１４；ＹＥＳ）、転送終了フラッグを立てる（ステップ３１６）。これにより、機器制御部４４は、転送の終了を判断し、表示制御部５２のバッファ９２からデジタル面データを読み込む処理を実行する（ステップ２１４）。
【００４４】
前記機器制御部４４は、読み込んだデジタル面データを変更した後、再び、表示制御部５２のバッファ９２に書き込み処理を実行する（ステップ２１６）。機器制御部４４は、データの変更が終了していないと判定したときには（ステップ２１８；ＮＯ）、さらに変更処理を行う（ステップ２１６）。これらのステップ２１６、２１８は、データの変更が完了するまで（ステップ２１８；ＹＥＳ）、機器制御部４４において処理される。ここでのデータの変更は、文字などの内容の変更の他、データの単純な反転や変換などが含まれる。
【００４５】
ここで、機器制御部４４は、データの変更、書き込みが終了したと判断すると（ステップ２１８；ＹＥＳ）、表示制御部５２のビデオメモリ制御手段９４に「バッファ９２からビデオメモリ５４への転送開始」を設定する（ステップ２２０）。これにより、表示制御部５２のビデオメモリ制御手段９４が動作を開始する。
【００４６】
ビデオメモリ制御手段９４は、表示側でビデオメモリ５４をアクセスしていないか判定する（ステップ３１８）。表示側でビデオメモリ５４をアクセスしていないと判定すると（ステップ３１８；ＹＥＳ）、バッファ９２からビデオメモリ５４の指定されたアドレスに表示画面データを転送し書き込み処理を行なう（ステップ３２０）。
【００４７】
前記表示制御部５２のビデオメモリ制御手段９４は、転送が終了していないと判定したときには（ステップ３２２；ＮＯ）、再び転送処理を行う（ステップ３２０）。これらのステップ３２０、３２２は、書き込みが完了するまで（ステップ３２２；ＹＥＳ）、表示制御部５２のビデオメモリ制御手段９４において処理される。そして、ビデオメモリ制御手段９４は、書き込みが終了したと判断すると（ステップ３２２；ＹＥＳ）、転送終了フラッグを立てる（ステップ３２４）。これにより、機器制御部４４は、１行分のデータの変更が終了したことを検知することができる（ステップ２２２）。
【００４８】
この表示制御部５２によるリードモディファイドライト動作により、例えば、図６（１）に示したメニュー画面４００におけるカーソル４０２の表示位置を、図６（２）に示すメニュー画面４０４におけるカーソル４０６の表示位置に容易に変更でき、文字の色の反転、背景色の変更などを容易、迅速に行うことができる。
【００４９】
リードモディファイドライト動作におけるステップ３１０、３１８の判定においては、前述の文字書き込み動作と同様の判定基準を設けることができる。
また、図５において、ステップ２１４、２１６の処理を飛ばしてバッファ９２の内容は変更せず、ステップ２２０の直前で新たにステップ２１０で設定されたものとは違うビデオメモリ５４の転送アドレスを設定するステップを設けることによって、画面の一部を別の場所に行単位でコピーすることも可能になる。
【００５０】
（タイミング及び表示出力の説明）
図７は、本発明の実施形態に係るＡＶ機器１０の表示制御部５２の動作タイミングを説明するための図である。
上述した文字の書き込み動作においても、リードモディファイドライト動作においても、図７に示すように、１水平期間Ｔｈ（例えば７４〔μ秒〕の期間）は、１水平期間よりやや短い表示出力期間Ｔ１と、残りの短い表示データ読出期間Ｔ２とから構成される。この表示出力期間Ｔ１は、表示メモリ９６から表示画面データを読み出し、表示部１４に表示出力する期間である。この表示出力期間Ｔ１を、表示制御部５２では、バッファ９２とビデオメモリ５４との間のデータ転送に使用している。また、前記表示データ読出期間Ｔ２は、表示制御部５２のビデオメモリ制御手段９４がビデオメモリ５４から１ライン行分の表示画面データを読み出し、表示メモリ９６に書き込む時間である。
【００５１】
図８は、本発明の実施形態に係るＡＶ機器１０の表示制御部５２による表示出力動作の関係を説明するための図である。
表示制御部５２のビデオメモリ制御手段９４は、表示部１４の動作制御信号に同期させてビデオメモリ５４から表示画面データを読み出し、１ライン毎に表示メモリ９６に格納する。また、オン・スクリーン・ディスプレイ回路９８は、当該表示メモリ９６に書き込まれた表示画面データに、音量表示データや画面の明るさの表示データなどのオン・スクリーン・ディスプレイ・データを重畳し、ＬＣＤ表示用データにして表示部１４に出力する。
【００５２】
ここで、「通常文字面」と「スクロール文字」との重ね合わせは、ビデオメモリ５４から表示制御部５２の表示メモリ９６に書き込むときに、ビデオメモリ５４のアドレスを制御して行なっている。この動作を図８を参照して説明する。
【００５３】
まず、画面の説明をすると、前記表示部１４には、オーディオ機能が選択されて図８に示すような画面４１０が表示されているものとする。画面４１０には、「オーディオ再生中」という通常文字４１２と、「曲のタイトルやアーティスト名を表示させます」というメッセージ４１４のうち、図中の白抜き部分４１４ａが画面４１０に実際に表示されているスクロール文字であり、網かけ部分４１４ｂが画面４１０に表示されていないスクロール文字となる。
【００５４】
表示制御部５２のビデオメモリ制御手段９４は、普段はビデオメモリ５４の通常文字が格納されている部分のアドレスから表示画面データを読み込み、スクロール文字を表示しようとする場所（この場合、白抜き部分４１４ａの位置）では、スクロール文字が格納されている部分の所定のアドレスから表示画面データを読み込むことにより、白抜き部分４１４ａで表示されている文字が通常文字４１２と重畳されて画面４１０に表示されることになる。
【００５５】
このように表示制御部５２のビデオメモリ制御手段９４は、ビデオメモリ５４から読み出すときに、そのアドレスを変化させることにより、スクロール文字の表示が可能になる。
【００５６】
（その他の動作）
その他の動作として次のものがある。
（１）第１の倍角転送
前記表示制御部５２のビデオメモリ制御手段９４は、前記バッファ９２に書き込まれたデジタル面データを拡大して表示画面データにし、前記ビデオメモリ５４に転送して書き込むことができる。
【００５７】
すなわち、機器制御部４４から表示制御部５２のビデオメモリ制御手段９４に対して、「バッファ９２からビデオメモリ５４への転送において倍角転送せよ」との指示があったときには、表示制御部５２は、バッファ９２の１ドット分のデジタル面データをビデオメモリ５４の４ドット分（縦２ドット×横２ドット）のデータに変換してビデオメモリ５４に書き込む。これにより、倍角転送ができ、機器制御部４４が文字データの展開（文字コードからビットマップに変換）をするときに、倍角の文字キャラクタデータを持っている必要がなくなる。この倍角転送における拡大率は、前記の縦横各２倍に限らず、縦のみ２倍などでも構わない。
【００５８】
（２）第２の倍角転送
前記表示制御部５２のビデオメモリ制御手段９４は、前記ビデオメモリ５４に書き込まれている表示画面データを縮小してデジタル面データにして前記バッファ９２に転送し書き込むことができる。
すなわち、機器制御部４４から表示制御部５２のビデオメモリ制御手段９４に対して、「ビデオメモリ５４からバッファ９２への転送において倍角転送せよ」との指示があったときには、表示制御部５２は、ビデオメモリ５４の４ドット分（縦２ドット×横２ドット）のデータをバッファ９２の１ドット分のデジタル面データに変換してバッファ９２に書き込む。これにより、縮小転送ができる。また、リードモディファイドライトのときに、倍角で書かれた文字に対して、短い処理時間で同様の処理をおこなうことができ、無駄な処理を省くことができる。この倍角転送における縮小率は、前記の縦横各２分の１倍に限らず、縦のみ２分の１倍などでも構わない。ただし、「第１の倍角転送による拡大率×第２の倍角転送による縮小率＝１」であれば、第１の倍角転送でビデオメモリ５４に転送したデータを第２の倍角転送でバッファ９２に書き戻した場合に、機器制御部４４から見たデータが元のデータと同じサイズになるので処理を容易に行なうことができる。
【００５９】
（３）倍角表示
前記表示制御部５２のビデオメモリ制御手段９４は、文字面を表示するときに、機器制御部４４から前記ビデオメモリ５４より表示画面データを読み出し拡大し、表示メモリ９６に書き込むこともできる。
なお、上記実施の形態では、バッファ９２は1行分の記憶容量をもたせたが、これに限定されるものではなく、２行分以上（複数行）あってもよい。
【００６０】
【発明の効果】
以上説明したように本発明によれば、処理装置である機器制御部がビデオメモリの状態に関係なくバッファにデジタル面データのままで書き込みをすることができ、かつ、前記機器制御部がバッファからただ単にデジタル面データを読み出すことができるので、次のような効果がある。
（ｉ）簡単な回路構成により機器制御部の負荷を軽くすることができる。
（ii）高速な描画が可能になる。
（iii)リードモデファイドライト動作など複雑な動作を簡単に処理することができる。
【図面の簡単な説明】
【図１】本発明の実施の形態に係るオーディオ・ビジュアル機器の表示制御回路を含む表示系統を示すブロック図である。
【図２】本発明の実施に形態に係るオーディオ・ビジュアル機器の斜視図である。
【図３】実施に形態に係るオーディオ・ビジュアル機器のブロック図である。
【図４】本発明の実施の形態に係るオーディオ・ビジュアル機器の表示制御部及び機器制御部における文字書き込み動作を説明するためのフローチャートである。
【図５】実施の形態に係るオーディオ・ビジュアル機器の表示制御部及び機器制御部におけるリードモディファイドライト動作を説明するためのフローチャートである。
【図６】本発明の実施形態に係るオーディオ・ビジュアル機器の表示制御部及び機器制御部におけるリードモデファイドライト動作により表示される画面の例を示す図であって、（１）は第１のメニュー画面、（２）は第２のメニュー画面である。
【図７】実施形態に係るオーディオ・ビジュアル機器の表示制御部の動作タイミングを説明するための図である。
【図８】実施形態に係るオーディオ・ビジュアル機器の表示制御部による表示出力動作の関係を説明するための図である。
【図９】従来の表示制御回路を含む表示系統を示すブロック図である。
【符号の説明】
１０………オーディオ・ビジュアル機器、１４………表示部、
２８………ＴＶチューナ、３０………ＦＭチューナ、
４４………処理装置（機器制御部）、５０………音声・画像再生部、
５２………表示制御回路（表示制御部）、５４………ビデオメモリ、
９０………表示系統、９２………バッファ、
９４………ビデオメモリ制御手段、９６………表示メモリ、
９８………オン・スクリーン・ディスプレイ（ＯＳＤ）回路。
【図１】
0003948008.tif 000002
【図２】
0003948008.tif 000003
【図３】
0003948008.tif 000004
【図４】
0003948008.tif 000005
【図５】
0003948008.tif 000006
【図６】
0003948008.tif 000007
【図７】
0003948008.tif 000008
【図８】
0003948008.tif 000009
【図９】
0003948008.tif 000010